【手続補正書】
【提出日】平成22年4月23日(2010.4.23)
【手続補正１】
【補正対象書類名】特許請求の範囲
【補正対象項目名】全文
【補正方法】変更
【補正の内容】
【特許請求の範囲】
【請求項１】
（パー）フルオロエラストマー１００phr当たり、
−  充填剤として、２５〜３５ｍ2／ｇの表面積CTAB（ASTM  D  3765）を有するカーボンブラック２〜７０phr；
−  架橋剤として、一般式：
【化１】
2009541562.tif 000001
（式中、
Ｒ1、Ｒ2、Ｒ3、Ｒ4、Ｒ5、Ｒ6は、同一または異なって、それぞれＨまたはＣ1〜Ｃ5アルキルであり；
Ｚは、酸素原子を任意に含んでいてもよく、好ましくは少なくとも部分的にフッ素化されたＣ1〜Ｃ18の直鎖状もしくは分枝鎖状のアルキレンまたはシクロアルキレン基、あるいは（パー）フルオロポリオキシアルキレン基から選沢される）
を有するビス−オレフィン０．５〜１０phr
を含み、過酸化物法により硬化し得る（パー）フルオロエラストマー組成物の、高温で蒸気耐性を有する製品を製造するための使用。
【請求項２】
（パー）フルオロエラストマー組成物において、カーボンブラックが５〜５０phrの範囲である、請求項１に記載の使用。
【請求項３】
（パー）フルオロエラストマー組成物において、ビス−オレフィンが０．６〜５phrの範囲である、請求項１または２に記載の使用。
【請求項４】
式（Ｉ）において、ＺがＣ4〜Ｃ12のパーフルオロアルキレン基であり、Ｒ1、Ｒ2、Ｒ3、Ｒ4、Ｒ5、Ｒ6が水素であり；Ｚが（パー）フルオロポリオキシアルキレン基であるとき、それは次の：
−ＣＦ2ＣＦ2Ｏ−、−ＣＦ2ＣＦ（ＣＦ3）Ｏ−、−ＣＦＸ1Ｏ−（ここで、Ｘ1＝Ｆ、ＣＦ3）、−ＣＦ2ＣＦ2ＣＦ2Ｏ−、−ＣＦ2−ＣＨ2ＣＨ2Ｏ−、−Ｃ3Ｆ6Ｏ−
から選択される単位を含む、請求項１〜３のいずれかに記載の使用。
【請求項５】
Ｚが式：
−（Ｑ）p−ＣＦ2Ｏ−（ＣＦ2ＣＦ2Ｏ）m（ＣＦ2Ｏ）n−ＣＦ2−（Ｑ）p−  （II）
（式中、ＱはＣ1〜Ｃ10アルキレンまたはオキシアルキレン基であり；ｐは０または１であり；ｍおよびｎはｍ／ｎの比が０．２〜５の間であるような数であり、上記の（パー）フルオロポリオキシアルキレン基の数平均分子量は３００〜１００００の範囲である）
を有する、請求項４に記載の使用。
【請求項６】
Ｑが−ＣＨ2ＯＣＨ2−；−ＣＨ2Ｏ（ＣＨ2ＣＨ2Ｏ）sＣＨ2−（ここで、ｓ＝１〜３）から選択される、請求項５に記載の使用。
【請求項７】
ビス−オレフィンが、式：
ＣＨ2＝ＣＨ−（ＣＦ2）t0−ＣＨ＝ＣＨ2
（ここで、ｔ０は６〜１０の整数である）
を有する、請求項４〜６のいずれかに記載の使用。
【請求項８】
（パー）フルオロエラストマーが過酸化物架橋部位を含む、請求項１〜７のいずれかに記載の使用。
【請求項９】
過酸化物架橋部位が、ヨウ素および／または臭素原子である、請求項８に記載の使用。
【請求項１０】
ヨウ素および／または臭素の量が、ポリマーの総重量に対して０．００１〜５重量％である、請求項８または９に記載の使用。
【請求項１１】
（パー）フルオロエラストマーにおいて、ヨウ素および／または臭素原子が、鎖中および／または末端部分に存在する、請求項８〜１０のいずれかに記載の使用。
【請求項１２】
（パー）フルオロエラストマーが、エチレンタイプの１つの不飽和を有する、少なくとも１つの過フッ素化されたオレフィンとのＴＦＥコポリマーである、請求項８〜１１のいずれかに記載の使用。
【請求項１３】
（パー）フルオロエラストマーにおいて、コモノマーが：
−（パー）フルオロアルキルビニルエーテル（ＰＡＶＥ）ＣＦ2＝ＣＦＯＲ2f（ここで、Ｒ2fはＣ1〜Ｃ6（パー）フルオロアルキル、好ましくはトリフルオロメチル、ブロモトリジフルオロメチル、ペンタフルオロプロピルである）；
−（パー）フルオロオキシアルキルビニルエーテル  ＣＦ2＝ＣＦＯＸo（ここで、Ｘoは１以上のエーテル基を含むＣ1〜Ｃ12パーフルオロオキシアルキルである）；
−  一般式：
ＣＦＸ2＝ＣＸ2ＯＣＦ2ＯＲ”f  （Ｉ−Ｂ）
（式中、
−  Ｒ”fは、次の意味：
−  Ｃ1〜Ｃ6の直鎖状または分枝鎖状（パー）フルオロアルキル、
−  Ｃ5〜Ｃ6の環状（パー）フルオロアルキル、
−  １〜３の酸素原子を含むＣ2〜Ｃ6の直鎖状または分枝鎖状（パー）フルオロオキシアルキル
を有し、
−  Ｘ2＝Ｆ、Ｈ）
を有する（パー）フルオロビニルエーテル
から選沢される、請求項１２に記載の使用：
【請求項１４】
（パー）フルオロエラストマーにおいて、コモノマーが式（Ｉ−Ｂ）の（パー）フルオロビニルエーテルであり、次の：
ＣＦ2＝ＣＦＯＣＦ2ＯＣＦ2ＣＦ3 （ＭＯＶＥ１）、
ＣＦ2＝ＣＦＯＣＦ2ＯＣＦ2ＣＦ2ＯＣＦ3 （ＭＯＶＥ２）、
ＣＦ2＝ＣＦＯＣＦ2ＯＣＦ3 （ＭＯＶＥ３）
から選択される、請求項１３に記載の方法。
【請求項１５】
（パー）フルオロエラストマーが、モル％で表される次の組成：
−  ＴＦＥ５０〜８５％、ＰＡＶＥ１５〜５０％；
−  ＴＦＥ２０〜８５％、ＭＯＶＥ１５〜８５％、任意のＰＡＶＥ０〜５０％
を有し、モノマーの合計が１００モル％である、請求項１２〜１４のいずれかに記載の使用。
【請求項１６】
（パー）フルオロエラストマーが、ＶＤＦ、任意に水素原子、塩素および／または臭素および／またはヨウ素を含んでもいてもよいＣ3〜Ｃ8フルオロオレフィン、Ｃ2〜Ｃ8非フッ素化オレフィン（ＯＩ）から誘導される単位を含む、請求項１２〜１５のいずれかに記載の方法。
【請求項１７】
（パー）フルオロエラストマーが次の組成：
−  テトラフロオロエチレン（ＴＦＥ）３３〜７５モル％；パーフルオロビニルエーテル（ＰＡＶＥ）１５〜４５モル％；フッ化ビニリデン（ＶＤＦ）２〜２５モル％；−  ＴＦＥ３２〜６０モル％、ＰＡＶＥ２０〜４０モル％；ＯＩ１０〜４０モル％を有し、組成物の合計が１００モル％である、請求項１６に記載の使用。
【請求項１８】
（パー）フルオロエラストマーにおいて、ＰＡＶＥの代わりに、またはＰＡＶＥと組み合わせて、式（Ｉ−Ｂ）の（パー）フルオロビニルエーテルが、コノマーとして用いられ、ビニルエーテルの合計％が、上記で示された範囲内である、請求項１７に記載の方法。
【請求項１９】
（パー）フルオロエラストマーが、式（Ｉ）のビス−オレフィンから誘導されるモノマー単位を鎖中に含む、請求項１〜１８のいずれかに記載の使用。
【請求項２０】
ビス−オレフィンの量が、ポリマーに対して０．０１〜５モル％の範囲である、請求項１９に記載の使用。
【請求項２１】
（パー）フルオロエラストマー組成物が：
−  弱酸塩と任意に組み合わさっていてもよい、２価の金属オキサイドまたはハイドロキサイドから選択される、ポリマーに対して０〜１５重量％の量の金属化合物；
−  補強充填剤、顔料、抗酸化剤、安定化剤
から選択されるその他の成分を含む、請求項１〜２０のいずれかに記載の使用。
【請求項２２】
補強充填剤が、硫酸バリウム、珪酸塩、例えばＰＴＦＥまたはコモノマーで修飾されたＰＴＦＥから選択される半結晶質（パー）フルオロポリマーから選沢される、請求項２１に記載の使用。
【請求項２３】
（パー）フルオロエラストマーが、０〜７０重量％（（パー）フルオロエラストマー＋半結晶質（パー）フルオロポリマーの合計乾燥重量に対する重量％として）の量の半結晶質（パー）フルオロポリマーと混合されている、請求項１〜２２のいずれかに記載の使用。
【請求項２４】
半結晶質（パー）フルオロポリマーが、テトラフルオロエチレン（ＴＦＥ）ホモポリマー、または０．０１〜１０モル％の量の、少なくとも１つのエチレンタイプの不飽和を含む１以上のモノマーとのＴＦＥコポリマーにより構成され、１つのエチレン不飽和を有する該コモノマーが、水素化およびフッ素化されたタイプの両方である、請求項２３に記載の使用。
【請求項２５】
水素化されたコモノマーが、エチレン、プロピレン、アクリルモノマー、スチレンモノマーから選択される、請求項２３または２４に記載の使用。
【請求項２６】
フッ素化されたコモノマーが、次の：
−  Ｃ3〜Ｃ8パーフルオロオレフィン；
−  Ｃ2〜Ｃ8水素化フルオロオレフィン；パーフルオロアルキルエチレン  ＣＨ2＝ＣＨ
−Ｒf（ここで、ＲfはＣ1〜Ｃ6パーフルオロアルキルである）；
−  Ｃ2〜Ｃ8クロロ−および／またはブロモ−および／またはヨード−フルオロオレフィン；
−  （パー）フルオロアルキルビニルエーテル（ＰＡＶＥ）ＣＦ2＝ＣＦＯＲf（ここで、ＲfはＣ1〜Ｃ6（パー）フルオロアルキルである）；
−  （パー）フルオロ−オキシアルキルビニルエーテル  ＣＦ2＝ＣＦＯＸ（ここで、ＸはＣ1〜Ｃ12アルキル、またはＣ1〜Ｃ12オキシアルキル、または１以上のエーテル基を有するＣ1〜Ｃ12（パー）フルオロ−オキシアルキルである）；
−  （パー）フルオロジオキソール、好ましくはパーフルオロジオキソール
から選沢される、請求項２３〜２５のいずれかに記載の使用。
【請求項２７】
請求項１〜２６のいずれかに記載の（パー）フルオロエラストマー組成物。
【請求項２８】
請求項１〜２６のいずれかに記載の硬化し得る（パー）フルオロエラストマー組成物から得られる製品。
【請求項２９】
請求項１〜２６のいずれかに記載の硬化し得る（パー）フルオロエラストマー組成物から得られる硬化した（パー）フルオロエラストマー組成物。